(57)【要約】【課題】施術に際し、嵌合固定部が移動したりして不安定になることを防いだ医療用ハサミを提供する。【解決手段】一対の柄部の一方の各先端が上刃および下刃を形成し、一対の柄部の各他端が把持部を形成し、かつ柄部が交差する支点を中心に把持部の開閉により上刃および下刃が開閉する医療用ハサミである。把持部の後端には、嵌合部を有し、嵌合部の一方の後端内には開口部を有し、他方の後端には該開口部に挿入して２つの把持部を嵌合して固定するための先端形状を有し、先端形状は把持部の長手方向およびそれに垂直方向に１か所で嵌合されるように構成され、開口部が、後方に向かって開口幅が狭くなるテーパを有する台形状の部分を含み、先端形状が、開口部のテーパに沿って移動してテーパと１か所で嵌合するくびれを有する。【選択図】図３
2018099306.tif 000002
【特許請求の範囲】
【請求項１】
一対の柄部の一方の各先端が上刃および下刃を形成し、一対の柄部の各他端が把持部を形成し、かつ柄部が交差する支点を中心に把持部の開閉により上刃および下刃が開閉する医療用ハサミであり、
把持部の後端には、嵌合部を有し、
該嵌合部の一方の後端内には開口部を有し、
他方の後端には該開口部に挿入して２つの把持部を嵌合して固定するための先端形状を有し、該先端形状は把持部の長手方向およびそれに垂直方向に１か所で嵌合されるように構成され、
該開口部が、後方に向かって開口幅が狭くなるテーパを有する台形状の部分を含み、
該先端形状が、該開口部のテーパに沿って移動してテーパと１か所で嵌合するくびれを有するように構成されてなり、
該把持部が板厚ｔ１を有し、該開口部が、最大横幅Ｗ１と最小横幅Ｗ４を有するように台形状の部分を有し、該先端形状が横幅Ｗ２の後端部と該くびれが幅ｔ２と最小横幅Ｗ３を有する隙間により構成されてなり、ならびに
Ｗ１＞Ｗ２＞Ｗ３＞Ｗ４、かつｔ１＜ｔ２となるような寸法を有するように構成された嵌合部を有してなる医療用ハサミ。
【請求項２】
該台形状の部分が、該把持部の長手方向に対し、中心より上下非対称にオフセットしている請求項１に記載の医療用ハサミ。
【請求項３】
該くびれが、該把持部の長手方向に対し、中心より上下非対称にオフセットしている請求項１または２に記載の医療用ハサミ。
【請求項４】
脳神経外科手術用、心臓血管外科手術用、形成外科手術用、または耳鼻咽喉科手術用のハサミである請求項１〜３のいずれか１項に記載の医療用ハサミ。
【発明の詳細な説明】
【技術分野】
【０００１】
本発明は、医療用ハサミ、特に脳神経外科手術等に好適な医療用ハサミに関する。
【背景技術】
【０００２】
ハサミは、通常２枚の刃物を回転可能な軸を通し、刃部を擦り合わせ、対象物を刃の間に置き、刃を閉じることにより対象物を切断するものである。刃元から刃先まで1点が確実に擦り合う構造をつくりあげ、擦り合う部分で間に挟んだものを切断可能としている。大きなものも小さなものも、この仕組みは変わらない。
【０００３】
医療用ハサミは、刃部は手術の対象部位によって構造、材料、寸法が様々である。特に脳外科手術等に使用されるハサミは小型であり、画像を監視しながら施術するために、鉛筆を持つように把持を行うのが一般的である。そのために刃の反対側の一対の把持部は固定されるのが一般的である。さらに刃の切れ味の調整や組み立てが容易にするため２枚の刃物は分離して製造した後、２枚の刃物を組み立てて一体にするのが一般的である。
【０００４】
そのために刃物の把持部先端は組み立て時に嵌合して固定するのが好適である。このような医療用ハサミは、上刃と下刃を有し、支点の後方に弾性材料からなる両把持部があり、それぞれの把持部先端には開口部と差込部が設けられ、それらは嵌合部を形成するように構成されているものが知られている（特許文献１）。しかし、寸法的に隙間を有する単純挿入方法は、溶接して固定するのと比べ、挿入部が前後、上下、左右に動きやすいため不安定になり、特に上下に動く場合には、刃の切れ味に悪影響を与え、手術の妨げになることがしばしば起きることが指摘されている。
【先行技術文献】
【特許文献】
【０００５】
【特許文献１】特開２０１２−９０９１９号公報
【発明の概要】
【発明が解決しようとする課題】
【０００６】
本発明は、上記の課題を解決し、把持部の嵌合・固定を安定化したハサミを提供することを目的としている。
【課題を解決するための手段】
【０００７】
本発明は上記の問題を解決するために、以下の発明を提供するものである。
（１）一対の柄部の一方の各先端が上刃および下刃を形成し、一対の柄部の各他端が把持部を形成し、かつ柄部が交差する支点を中心に把持部の開閉により上刃および下刃が開閉する医療用ハサミであり、
把持部の後端には、嵌合部を有し、
該嵌合部の一方の後端内には開口部を有し、
他方の後端には該開口部に挿入して２つの把持部を嵌合して固定するための先端形状を有し、該先端形状は把持部の長手方向およびそれに垂直方向に１か所で嵌合されるように構成され、
該開口部が、後方に向かって開口幅が狭くなるテーパを有する台形状の部分を含み、
該先端形状が、該開口部のテーパに沿って移動してテーパと１か所で嵌合するくびれを有するように構成されてなり、
該把持部が板厚ｔ１を有し、該開口部が、最大横幅Ｗ１と最小横幅Ｗ４を有するように台形状の部分を有し、該先端形状が横幅Ｗ２の後端部と該くびれが幅ｔ２と最小横幅Ｗ３を有する隙間により構成されてなり、ならびに
Ｗ１＞Ｗ２＞Ｗ３＞Ｗ４、かつｔ１＜ｔ２となるような寸法を有するように構成された嵌合部を有してなる医療用ハサミ。
（２）該台形状の部分が、該把持部の長手方向に対し、中心より上下非対称にオフセットしている上記（１）に記載の医療用ハサミ。
（３）該くびれが、該把持部の長手方向に対し、中心より上下非対称にオフセットしている上記（１）または（２）に記載の医療用ハサミ。
（４）脳神経外科手術用、心臓血管外科手術用、形成外科手術用、または耳鼻咽喉科手術用のハサミである上記（１）〜（３）のいずれかに記載の医療用ハサミ。
【発明の効果】
【０００８】
本発明によれば、ハサミの組み立てが容易であり、施術に際し、嵌合固定部が移動したりして不安定になることを防いだ医療用ハサミを提供しうる。
【図面の簡単な説明】
【０００９】
【図１】医療用ハサミの１例を示す図。
【図２】本発明の医療用ハサミ把持部の嵌合・固定を概略的に説明する図。
【図３】本発明の医療用ハサミ把持部の各部の部位とその寸法の条件を示す図。
【図４】本発明の医療用ハサミの把持部の開口部の形状について、実施態様例を示す。
【図５】本発明の医療用ハサミの把持部の開口部および先端形状の実施態様例を示す図。
【発明を実施するための形態】
【００１０】
本発明のハサミは、一対の柄部の一方の各先端が上刃および下刃を形成し、一対の柄部の各他端が把持部を形成し、かつ柄部が交差する支点を中心に把持部の開閉により上刃および下刃が開閉する医療用ハサミである。
【００１１】
本発明の医療用ハサミは、把持部の後端には、嵌合部を有し、その嵌合部の一方の後端内には開口部を有し、他方の後端には開口部に挿入して２つの把持部を嵌合して固定するための先端形状を有し、先端形状は把持部の長手方向およびそれに垂直方向に１か所で嵌合されるように構成される。
【００１２】
開口部は、後方に向かって開口幅が狭くなるテーパを有する台形状の部分を含み、
先端形状が、開口部のテーパに沿って移動してテーパと１か所で嵌合するくびれを有するように構成されている。
【００１３】
そして、把持部は板厚ｔ１を有し、開口部が、最大横幅Ｗ１と最小横幅Ｗ４を有するように台形状の部分を有し、先端形状が横幅Ｗ２の後端部とくびれが幅ｔ２と最小横幅Ｗ３を有する隙間により構成されてなり、Ｗ１＞Ｗ２＞Ｗ３＞Ｗ４とｔ１＜ｔ２となる寸法を有するように構成されてなる嵌合部を有する。
【００１４】
本発明の医療用ハサミの把持部の好適な実施態様例として、開口部の台形状の部分を、台形形状を把持部の長手方向の中心線から上下に非対称台形にすることができる。このようにすることによって、把持部が中心線からオフセットしていることになり、ペンを保持するようにハサミを保持して施術する場合、右手にハサミを保持した場合、親指が右ひねり方向に力が働くこととなり、把持部と刃はそれぞれ一体であるため、２枚の刃が口開きにならず、より強く接するようにすることができる。オフセットはそのように、２枚の刃がより強く接するように開口部の台形形状を形成することができる。
【００１５】
本発明の医療用ハサミの好適な実施態様例として、先端形状のくびれを前記の例と同じように、把持部中心線から上下に非対称にすることができる。このようにすることによって、同様に２枚の刃が親指の作用ととともにより強く接するようにすることができ、刃は対象物をよく切れるようにすることができる。
【００１６】
本発明の医療用ハサミの好適な実施態様例として、開口部の台形形状を中心線から左右非対称にずらし、また先端形状の該くびれを中心線から上下非対称にずらし、いずれも２枚の親指の開閉動作に伴い、２枚の刃がより強く接するようにすることができる。
【００１７】
本発明の医療用ハサミは、医療用に好適に使用され、とりわけ外科手術、特に脳神経外科手術、心臓血管外科手術、形成外科手術、耳鼻咽喉科手術等における生体組織の切断等の医療用途に好適に使用される。
【００１８】
以下、本発明の医療用ハサミの構造について、図面とともに本発明の実施態様についてさらに詳細に説明する。
【００１９】
図１は、本発明の医療用ハサミの構造、特徴を分かり易く説明するために模式的に示した図である。図１において、上刃１１は、例えば、超弾性合金で形成され、たとえば、Ｔｉ３（Ｎｂ，Ｔａ，Ｖ）＋（Ｚｒ，Ｈｆ）＋O  と表示される合金で形成することができる。下刃１２は、ステンレス系刃物鋼で形成することができる。３は支点（要）である。４１，４２、５１、５２が把持部である。５１，５２は把持部の一部をなし、ばね性を付与した部材で構成される。５３は嵌合部である。
【００２０】
図２（ａ）は、ばね部の先端の開口部５４と先端形状５５を模式的に示す図である。
図２（ｂ）は、開口部５４と先端形状５５を嵌合・固定した状態を模式的に示した図である。図３は、開口部５４と先端形状５５の形状を模式的に示す図であり、各部の寸法と相互の寸法条件を説明する図である。先端形状５５は,くびれ部分を有する。
【００２１】
図４（a）、（ｂ）および（ｃ）は、本発明の医療用ハサミの把持部の開口部の形状について、実施態様例を示す図である。図５は、開口部５４を把持部長手方向中心線から左右に台形形状をずらした図（ａ）、および先端形状５５のくびれを把持部長手方向中心線から左右にずらした図（ｂ）を示す。図４の実施態様例は図示のものに限定されない。開口部５４および先端形状５５が互いに嵌合でき、一点で固定できる限りにおいて他の実施態様を挙げることができる。また、図５の実施態様例は図示のものに限定されない。2枚の刃の開閉時の接触を強めるような他の実施態様を挙げることができる。
【産業上の利用可能性】
【００２２】
本発明によれば、脳神経外科手術等における組織の切断等の医療用途に好適に使用されるハサミを提供し得る。
【符号の説明】
【００２３】
３    支点
１１    上刃
１２    下刃
４１，４２、５１、５２    把持部
５３    嵌合部
５４    開口部
５５    先端形状
【図１】
2018099306.tif 000003
【図２】
2018099306.tif 000004
【図３】
2018099306.tif 000005
【図４】
2018099306.tif 000006
【図５】
2018099306.tif 000007